(57)【特許請求の範囲】
【請求項１】
（Ｉ）ベースとこのベースから突出する突起群とを有するアウトソールを備えており、この突起群がアウトソールの長さ線よりも内側であってかつ土踏まずよりも爪先側に位置しており、この突起群が爪先側に向かって内側に向かう方向に沿って延在する複数の細長突起からなり、それぞれの細長突起においてその延在方向の寸法Ｌｐがこの延在方向と直交する方向の寸法Ｗｐよりも大きく、それぞれの細長突起の爪先側端面が地面に向かって爪先側に向かう方向に傾斜している軸足用靴、及び
（II）ベースとこのベースから突出する突起群とを有するアウトソールを備えており、この突起群がアウトソールの長さ線よりも内側であってかつ土踏まずよりも爪先側に位置しており、この突起群が踵側に向かって内側に向かう方向に沿って延在する複数の細長突起からなり、それぞれの細長突起においてその延在方向の寸法Ｌｋがこの延在方向と直交する方向の寸法Ｗｋよりも大きく、それぞれの細長突起の踵側端面が地面に向かって踵側に向かう方向に傾斜している蹴足用靴
からなるゴルフシューズ。
【請求項２】
上記寸法Ｌｐの上記寸法Ｗｐに対する比（Ｌｐ／Ｗｐ）が２．５以上であり、上記寸法Ｌｋの上記寸法Ｗｋに対する比（Ｌｋ／Ｗｋ）が２．５以上である請求項１に記載のゴルフシューズ。
【請求項３】
上記軸足用靴における、細長突起の延在方向とアウトソールの長さ方向との角度が０°を超えて上６０°以下である請求項１又は２に記載のゴルフシューズ。
【請求項４】
上記蹴足用靴における細長突起の延在方向とアウトソールの長さ方向との角度が０°を超えて６０°以下である請求項１から３のいずれかに記載のゴルフシューズ。
【請求項５】
上記軸足用靴の突起群において、複数の細長突起が、爪先側に向かって広がる放射状に配置されている請求項１から４のいずれかに記載のゴルフシューズ。
【請求項６】
上記蹴足用靴の突起群において、複数の細長突起が、踵側に向かって広がる放射状に配置されている請求項１から５のいずれかに記載のゴルフシューズ。
【請求項７】
軸足用靴と蹴足用靴とからなり、この軸足用靴がベースとこのベースから突出する突起群とを有するアウトソールを備えており、この突起群がアウトソールの長さ線よりも内側であってかつ土踏まずよりも爪先側に位置しており、この突起群が爪先側に向かって内側に向かう方向に沿って延在する複数の細長突起からなり、それぞれの細長突起においてその延在方向の寸法Ｌｐがこの延在方向と直交する方向の寸法Ｗｐよりも大きく、それぞれの細長突起の爪先側端面が地面に向かって爪先側に向かう方向に傾斜しているゴルフシューズ。
【請求項８】
軸足用靴と蹴足用靴とからなり、この蹴足用靴がベースとこのベースから突出する突起群とを有するアウトソールを備えており、この突起群がアウトソールの長さ線よりも内側であってかつ土踏まずよりも爪先側に位置しており、この突起群が踵側に向かって内側に向かう方向に沿って延在する複数の細長突起からなり、それぞれの細長突起においてその延在方向の寸法Ｌｋがこの延在方向と直交する方向の寸法Ｗｋよりも大きく、それぞれの細長突起の踵側端面が地面に向かって踵側に向かう方向に傾斜しているゴルフシューズ。
【請求項９】
（Ｉ）アウトソールを備えており、このアウトソールがベース並びにこのベースから突出する第一突起群及び第二突起群を有しており、この第一突起群及び第二突起群がアウトソールの長さ線よりも内側であってかつ土踏まずよりも爪先側に位置しており、上記第一突起群が爪先側に向かって内側に向かう方向に沿って延在する複数の細長突起からなり、上記第二突起群が踵側に向かって内側に向かう方向に沿って延在する複数の細長突起からなり、上記第一突起群のそれぞれの細長突起においてその延在方向の寸法Ｌｐがこの延在方向と直交する方向の寸法Ｗｐよりも大きく、上記第二突起群のそれぞれの細長突起においてその延在方向の寸法Ｌｋがこの延在方向と直交する方向の寸法Ｗｋよりも大きい左足用靴、並びに
（II）アウトソールを備えており、このアウトソールがベース並びにこのベースから突出する第一突起群及び第二突起群を有しており、この第一突起群及び第二突起群がアウトソールの長さ線よりも内側であってかつ土踏まずよりも爪先側に位置しており、上記第一突起群が爪先側に向かって内側に向かう方向に沿って延在する複数の細長突起からなり、上記第二突起群が踵側に向かって内側に向かう方向に沿って延在する複数の細長突起からなり、上記第一突起群のそれぞれの細長突起においてその延在方向の寸法Ｌｐがこの延在方向と直交する方向の寸法Ｗｐよりも大きく、上記第二突起群のそれぞれの細長突起においてその延在方向の寸法Ｌｋがこの延在方向と直交する方向の寸法Ｗｋよりも大きい右足用靴
からなるゴルフシューズ。
【発明の詳細な説明】
【技術分野】
【０００１】
本発明は、ゴルフシューズに関する。詳細には、本発明は、ゴルフシューズのアウトソールの改良に関する。
【背景技術】
【０００２】
ゴルファーがゴルフボールを打撃するとき、左右の爪先を結ぶ線が目標方向とほぼ平行となるようにアドレスする。右利きのゴルファーのアドレスでは、左足が目標方向前側に位置し、右足が目標方向後側に位置する。アドレスでは、ゴルフクラブのヘッドはゴルフボールの近くに位置する。この状態からゴルファーはテイクバックを開始し、ヘッドを後へ、次いで上方へと振り上げる。最もヘッドが振り上げられた位置がトップ位置である。トップ位置からダウンスイングが開始される。ダウンスイングの開始は、「切り返し」と称されている。切り返しの後、ヘッドが振り下ろされてヘッドがゴルフボールと衝突する（インパクト）。インパクト後、ゴルファーはゴルフクラブを前方へ、次いで上方へと振り抜き、フィニッシュを迎える。
【０００３】
トップ位置からフィニッシュにかけて、ゴルファーの両足には大きな力がかかる。この力によって、ゴルフシューズが地面とスリップを起こすことがある。スリップが起こると、スイングフォームが乱れてミスショットが発生する。特に、切り返し前後及びインパクト前後において、スリップが生じやすい。
【０００４】
底面に金属又はセラミクスからなるスパイクピンを備えたゴルフシューズが存在する。スパイクピンは、スリップを防止する。しかし、このゴルフシューズでは、スパイクピンがグリーン上の芝生、クラブハウスの床、ゴルフコース中に設けられた歩行用通路の路面等を傷める。スパイクピンを備えたゴルフシューズの使用を禁止しているゴルフ場が多い。スパイクピンを備えたゴルフシューズでは下からの突き上げ感があり、ゴルファーにとって履き心地のよいものではない。スパイクピンを備えたゴルフシューズは、近年ではあまり用いられていない。
【０００５】
スパイクピンに代えてゴムや合成樹脂からなる突起が底面に設けられたゴルフシューズが、普及している。このゴルフシューズでは、芝生等が傷つけられることが少ない。このゴルフシューズは、履き心地に優れる。しかしこのゴルフシューズでは、スパイクピンを有するゴルフシューズに比べ、防滑性能が十分ではない。
【０００６】
右利きのゴルファーは、トップ位置からフィニッシュにかけて、左足を軸としてボディターンを行う。同時にゴルファーは、右足で地面を蹴ってその力をゴルフボールに伝える。右利きのゴルファーは、左足を軸足として使い、右足を蹴足として使う。左利きゴルファーの場合は、右足を軸足として使い、左足を蹴足として使う。軸足と蹴足との役割の相違が考慮されたゴルフシューズが、特開２００１−２９９４０６公報に開示されている。
【先行技術文献】
【特許文献】
【０００７】
【特許文献１】特開２００１−２９９４０６公報
【発明の概要】
【発明が解決しようとする課題】
【０００８】
特開２００１−２９９４０６公報に開示されたゴルフシューズでも、防滑性能は十分ではない。特に、切り返しの前後及びインパクトの前後における防滑性能の向上が望まれている。
【０００９】
本発明の目的は、防滑性能に優れたゴルフシューズの提供にある。
【課題を解決するための手段】
【００１０】
本発明に係るゴルフシューズは、
（Ｉ）ベースとこのベースから突出する突起群とを有するアウトソールを備えており、この突起群がアウトソールの長さ線よりも内側であってかつ土踏まずよりも爪先側に位置しており、この突起群が爪先側に向かって内側に向かう方向に沿って延在する複数の細長突起からなり、それぞれの細長突起においてその延在方向の寸法Ｌｐがこの延在方向と直交する方向の寸法Ｗｐよりも大きい軸足用靴、及び
（II）ベースとこのベースから突出する突起群とを有するアウトソールを備えており、この突起群がアウトソールの長さ線よりも内側であってかつ土踏まずよりも爪先側に位置しており、この突起群が踵側に向かって内側に向かう方向に沿って延在する複数の細長突起からなり、それぞれの細長突起においてその延在方向の寸法Ｌｋがこの延在方向と直交する方向の寸法Ｗｋよりも大きい蹴足用靴
からなる。
【００１１】
好ましくは、寸法Ｌｐの寸法Ｗｐに対する比（Ｌｐ／Ｗｐ）は２．５以上である。好ましくは、寸法Ｌｋの寸法Ｗｋに対する比（Ｌｋ／Ｗｋ）は、２．５以上である。
【００１２】
好ましくは、軸足用靴における細長突起の延在方向とアウトソールの長さ方向との角度は、０°を超えて上６０°以下である。好ましくは、蹴足用靴における細長突起の延在方向とアウトソールの長さ方向との角度は、０°を超えて６０°以下である。
【００１３】
好ましくは、軸足用靴の突起群において、複数の細長突起が、爪先側に向かって広がる放射状に配置される。好ましくは、蹴足用靴の突起群において、複数の細長突起が、踵側に向かって広がる放射状に配置される。
【００１４】
他の観点によれば、本発明に係るゴルフシューズは軸足用靴と蹴足用靴とからなる。この軸足用靴は、ベースとこのベースから突出する突起群とを有するアウトソールを備える。この突起群は、アウトソールの長さ線よりも内側であってかつ土踏まずよりも爪先側に位置している。この突起群は、爪先側に向かって内側に向かう方向に沿って延在する複数の細長突起からなる。それぞれの細長突起において、その延在方向の寸法Ｌｐはこの延在方向と直交する方向の寸法Ｗｐよりも大きい。
【００１５】
さらに他の観点によれば、本発明に係るゴルフシューズは、軸足用靴と蹴足用靴とからなる。この蹴足用靴は、ベースとこのベースから突出する突起群とを有するアウトソールを備える。この突起群は、アウトソールの長さ線よりも内側であってかつ土踏まずよりも爪先側に位置している。この突起群は、踵側に向かって内側に向かう方向に沿って延在する複数の細長突起からなる。それぞれの細長突起において、その延在方向の寸法Ｌｋはこの延在方向と直交する方向の寸法Ｗｋよりも大きい。
【００１６】
さらに他の観点によれば、本発明に係るゴルフシューズは、
（Ｉ）アウトソールを備えており、このアウトソールがベース並びにこのベースから突出する第一突起群及び第二突起群を有しており、この第一突起群及び第二突起群がアウトソールの長さ線よりも内側であってかつ土踏まずよりも爪先側に位置しており、上記第一突起群が爪先側に向かって内側に向かう方向に沿って延在する複数の細長突起からなり、上記第二突起群が踵側に向かって内側に向かう方向に沿って延在する複数の細長突起からなり、上記第一突起群のそれぞれの細長突起においてその延在方向の寸法Ｌｐがこの延在方向と直交する方向の寸法Ｗｐよりも大きく、上記第二突起群のそれぞれの細長突起においてその延在方向の寸法Ｌｋがこの延在方向と直交する方向の寸法Ｗｋよりも大きい左足用靴、並びに
（II）アウトソールを備えており、このアウトソールがベース並びにこのベースから突出する第一突起群及び第二突起群を有しており、この第一突起群及び第二突起群がアウトソールの長さ線よりも内側であってかつ土踏まずよりも爪先側に位置しており、上記第一突起群が爪先側に向かって内側に向かう方向に沿って延在する複数の細長突起からなり、上記第二突起群が踵側に向かって内側に向かう方向に沿って延在する複数の細長突起からなり、上記第一突起群のそれぞれの細長突起においてその延在方向の寸法Ｌｐがこの延在方向と直交する方向の寸法Ｗｐよりも大きく、上記第二突起群のそれぞれの細長突起においてその延在方向の寸法Ｌｋがこの延在方向と直交する方向の寸法Ｗｋよりも大きい右足用靴
からなる。
【発明の効果】
【００１７】
本発明に係るゴルフシューズでは、アウトソールの形状が適正である。このゴルフシューズは、防滑性能に優れる。
【図面の簡単な説明】
【００１８】
【図１】図１は、本発明の一実施形態に係るゴルフシューズの軸足用靴が示された一部切欠側面図である。
【図２】図２は、図１の軸足用靴のアウトソールが示された底面図である。
【図３】図３は、図２のアウトソールの一部が示された拡大底面図である。
【図４】図４は、図２のアウトソールの一部が示された断面図である。
【図５】図５は、図２のアウトソールの一部が示された断面図である。
【図６】図６は、蹴足用靴のアウトソールが示された底面図である。
【図７】図７は、図６のアウトソールの一部が示された拡大図である。
【図８】図８は、図６のアウトソールの一部が示された断面図である。
【図９】図９は、図６のアウトソールの一部が示された断面図である。
【図１０】図１０は、本発明の他の実施形態に係るゴルフシューズの左足用靴のアウトソールが示された底面図である。
【図１１】図１１は、図１０のゴルフシューズの右足用靴のアウトソールが示された底面図である。
【発明を実施するための形態】
【００１９】
以下、適宜図面が参照されつつ、好ましい実施形態に基づいて本発明が詳細に説明される。
【００２０】
本発明の一実施形態に係るゴルフシューズは、軸足用靴及び蹴足用靴からなる。図１及び２には、軸足用靴２が示されている。この軸足用靴２は、右利きゴルファーに着用される。左利きゴルファーのための軸足用靴は、図２に示された軸足用靴２の形状が反転した形状を有する。
【００２１】
軸足用靴２は、アッパー４とソール６とを備えている。ソール６は、インソール８、ミッドソール１０及びアウトソール１２からなる。図１及び２において、符号Ｘで示されているのは幅方向であり、符号Ｙで示されているのは長さ方向であり、符号Ｚで示されているのは高さ方向である。図２において符号ＬＬで示されているのは、長さ線である。長さ線ＬＬは、底面視において、アウトソール１２の輪郭内に画かれうる最長の線である。
【００２２】
アッパー４には、既知の材料が用いられる。天然皮革、合成皮革、人工皮革、織布等が、アッパー４に用いられうる。アッパー４の内面に、内材が貼り付けられてもよい。典型的な内材は、織布である。内材として、透湿防水材料が用いられてもよい。典型的な透湿防水材料は、ゴアテックス（登録商標）からなるブーティである。
【００２３】
インソール８は、ミッドソール１０と積層されている。インソール８は、織布又は発泡合成樹脂からなる。インソール８は、足と接触する。このインソール８は、軸足用靴２を履く動作において、足の滑りに寄与する。インソール８はさらに、履き心地に寄与する。インソール８が設けられなくてもよい。
【００２４】
ミッドソール１０は、発泡体からなる。好ましくは、ミッドソール１０は、多数の独立気泡を含む。着地時に、ミッドソール１０は圧縮変形を起こす。この圧縮変形により、衝撃が吸収される。ミッドソール１０における好ましい基材ポリマーは、エチレン−酢酸ビニル共重合体（ＥＶＡ）である。衝撃吸収性の観点から、ミッドソール１０の硬度は７０以下が好ましく、６５以下が特に好ましい。強度の観点から、硬度は４０以上が好ましい。硬度は、「ＪＩＳ  Ｋ  ６２５３」の規定に準拠して、タイプＡのデュロメーターにて測定される。
【００２５】
アウトソール１２は、ミッドソール１０の下側に位置している。アウトソール１２は、ミッドソール１０と接合されている。接合は、接着剤によって達成されうる。アウトソール１２は、架橋ゴムからなる。好ましい基材ゴムとしては、天然ゴム（ＮＲ）、イソプレンゴム（ＩＲ）、ブタジエンゴム（ＢＲ）、スチレン−ブタジエンゴム（ＳＢＲ）、アクリロニトリル−ブタジエンゴム（ＮＢＲ）及びウレタンゴムが例示される。アウトソール１２に、合成樹脂又はエラストマーが用いられてもよい。アウトソール１２は、気泡を含まない。耐摩耗性の観点から、アウトソール１２の硬度は７０以上が好ましく、７５以上が特に好ましい。足の変形への追従性の観点から、硬度は８５以下が好ましく、８０以下が特に好ましい。硬度は、「ＪＩＳ  Ｋ  ６２５３」の規定に準拠して、タイプＡのデュロメーターにて測定される。
【００２６】
図２には、アウトソール１２の底面が示されている。図２において、左側が内側であり、右側が外側であり、上側が爪先側であり、下型が踵側である。このアウトソール１２は、ベース１４と２つの第一突起群１６とを備えている。それぞれの第一突起群１６は、長さ線ＬＬよりも内側であって、かつ土踏まず１８よりも爪先側に位置している。第一突起群１６の数は、１でもよく３以上でもよい。第一突起群１６の数は、６以下が好ましい。
【００２７】
このアウトソール１２はさらに、第一突起群１６に属さない多数の突起２０を備えている。それぞれの突起２０は、ベース１４から突出している。この突起２０は、軸足用靴２の防滑性能に寄与する。防滑性能の観点から、突起２０の高さは２ｍｍ以上が好ましく、４ｍｍ以上が特に好ましい。突起２０の剛性の観点から、突起の高さは１５ｍｍ以下が好ましく、１０ｍｍ以下が特に好ましい。
【００２８】
図３は、図２のアウトソール１２の一部が示された拡大底面図である。図３には、１つの第一突起群１６が示されている。第一突起群１６は、３つの細長突起２２からなる。具体的には、第一突起群１６は、第一細長突起２２ａ、第二細長突起２２ｂ及び第三細長突起２２ｃからなる。第一突起群１６が、２つの細長突起２２からなってもよい。第一突起群１６が、４以上の細長突起２２からなってもよい。第一突起群１６における細長突起２２の数は、１０以下が好ましい。それぞれの細長突起２２は、底面２４（図４及び５を参照）、爪先側端面２６、踵側端面２８及び２つの側面３０を有している。
【００２９】
図３において、矢印Ａ１は第一細長突起２２ａの延在方向を表しており、矢印Ａ２は第二細長突起２２ｂの延在方向を表しており、矢印Ａ３は第三細長突起２２の延在方向を表している。これらの細長突起２２は、爪先側に向かって内側に向かう方向に沿って延在している。爪先側端面２６は、矢印（Ａ１、Ａ２又はＡ３）とほぼ直交している。
【００３０】
図４は、延在方向に沿った細長突起２２の拡大断面図である。図４には、延在方向における細長突起２２の寸法が、符号Ｌｐで示されている。図５は、延在方向と直交する方向に沿った細長突起２２の拡大断面図である。この図５には、延在方向と直交する方向における細長突起２２の寸法が、符号Ｗｐで示されている。図４及び５の対比から明らかなように、寸法Ｌｐは寸法Ｗｐよりも十分に大きい。
【００３１】
本発明者の得た知見によれば、軸足用靴２では、切り返しの前後において最も大きな水平方向力が発生する。このときの水平方向力は、長さ線ＬＬよりも内側であってかつ土踏まず１８よりも爪先側において、主として発生する。換言すれば、力が主として発生する位置は、第一突起群１６の近傍である。この水平方向力の方向は、爪先側に向かって内側に向かう方向である。換言すれば、この水平方向力の方向は、細長突起２２の延在方向とほぼ一致する。細長突起２２は、延在方向の寸法Ｌｐが大きいので、延在方向において高剛性である。従って、水平方向力を受けても、細長突起２２は延在方向には座屈しにくい。一方、細長突起２２の寸法Ｗｐは十分に小さいので、細長突起２２の底面積は過大ではない。従ってこの細長突起２２は、ゴルファーの体重を受けて、地面に突き刺さる。この細長突起２２により、切り返しの前後における軸足用靴２のスリップが抑制される。
【００３２】
延在方向における剛性の観点から、寸法Ｌｐは８ｍｍ以上が好ましく、１０ｍｍ以上がより好ましく、１２ｍｍ以上が特に好ましい。寸法Ｌｐは４０ｍｍ以下が好ましい。地面に突き刺さりやすいとの観点から、寸法Ｗｐは１２ｍｍ以下が好ましく、１０ｍｍ以下がより好ましく、７ｍｍ以下が特に好ましい。寸法Ｗｐは、２ｍｍ以上が好ましい。延在方向にそって細長突起２２の幅が変化する場合は、最大幅が寸法Ｗｐとされる。
【００３３】
スリップ抑制の観点から、寸法Ｌｐの寸法Ｗｐに対する比（Ｌｐ／Ｗｐ）は２．５以上が好ましく、３．０以上が特に好ましい。パターン設計の容易の観点から、比（Ｌｐ／Ｗｐ）は、８．０以下が好ましい。
【００３４】
図４において符号Ｈｐで示されているのは、細長突起２２の高さである。スリップが抑制されるとの観点から、高さＨｐは４ｍｍ以上１０ｍｍ以下が好ましい。
【００３５】
図４から明らかなように、爪先側端面２６が地面となす角度θｐは、９０°を超えている。従って、この爪先側端面２６は、地面に突き刺さりやすい。この爪先側端面２６により、切り返し前後における軸足用靴２のスリップが抑制される。スリップ抑制の観点から、角度θｐは１００°以上１６０°以下が好ましい。角度θｐは、１１０°以上がより好ましく、１２０°以上が特に好ましい。角度θｐは、１５０°以下が特に好ましい。
【００３６】
図３において、符号α１は長さ線ＬＬと矢印Ａ１との角度を表し、符号α２は長さ線ＬＬと矢印Ａ２との角度を表し、符号α３は長さ線ＬＬと矢印Ａ３との角度を表す。切り返し前後におけるスリップ抑制の観点から、これらの角度α１、α２及びα３は０°（ｄｅｇｒｅｅ）を超えて６０°以下が好ましい。これらの角度α１、α２及びα３は、１５°以上が特に好ましい。これらの角度α１、α２及びα３は、５５°以下が特に好ましい。
【００３７】
図３から明らかなように、３つの細長突起２２は放射状に配置されている。従って、角度α１は角度α２より大きく、そして角度α２は角度α３よりも大きい。本発明者の得た知見によれば、軸足用靴２の切り返しの前後における力の方向は、矢印Ａ１の方向から矢印Ａ２の方向に移行し、さらに矢印Ａ３の方向に移行する。複数の細長突起２２が放射状に配置されることにより、切り返しの前後におけるスリップが十分に抑制される。
【００３８】
図６には、蹴足用靴のアウトソール３２が示されている。このアウトソール３２の材質は、図２に示された軸足用靴２のアウトソール１２の材質と同等である。図示されていないが、この蹴足用靴は、図１に示された軸足用靴２と同様に、アッパー、インソール及びミッドソールを備えている。この蹴足用靴は、右利きゴルファーに着用される。左利きゴルファーのための蹴足用靴は、図６に示された蹴足用靴の形状が反転した形状を有する。
【００３９】
図６において、符号Ｘで示されているのは幅方向であり、符号Ｙで示されているのは長さ方向である。図６において符号ＬＬで示されているのは、長さ線である。長さ線ＬＬは、底面視において、アウトソール３２の輪郭内に画かれうる最長の線である。
【００４０】
図６において、左側が外側であり、右側が内側であり、上側が爪先側であり、下型が踵側である。このアウトソール３２は、ベース３４と２つの第二突起群３６とを備えている。それぞれの第二突起群３６は、長さ線ＬＬよりも内側であって、かつ土踏まず３８よりも爪先側に位置している。第二突起群３６の数は、１でもよく３以上でもよい。第二突起群３６の数は、６以下が好ましい。
【００４１】
このアウトソール３２はさらに、突起群に属さない多数の突起４０を備えている。それぞれの突起４０は、ベース３４から突出している。この突起４０は、蹴足用靴の防滑性能に寄与する。防滑性能の観点から、突起の高さは２ｍｍ以上が好ましく、４ｍｍ以上が特に好ましい。突起の剛性の観点から、突起の高さは１５ｍｍ以下が好ましく、１０ｍｍ以下が特に好ましい。
【００４２】
図７は、図６のアウトソール３２の一部が示された拡大底面図である。図７には、１つの第二突起群３６が示されている。第二突起群３６は、３つの細長突起４２からなる。具体的には、第二突起群３６は、第四細長突起４２ａ、第五細長突起４２ｂ及び第六細長突起４２ｃからなる。第二突起群３６が、２つの細長突起４２からなってもよい。第二突起群３６が、４以上の細長突起４２からなってもよい。第二突起群３６における細長突起４２の数は、１０以下が好ましい。それぞれの細長突起４２は、底面４４（図８及び９を参照）、爪先側端面４６、踵側端面４８及び２つの側面５０を有している。
【００４３】
図７において、矢印Ｂ１は第四細長突起４２ａの延在方向を表しており、矢印Ｂ２は第五細長突起４２ｂの延在方向を表しており、矢印Ｂ３は第六細長突起４２ｃの延在方向を表している。これらの細長突起４２は、踵側に向かって内側に向かう方向に沿って延在している。踵側端面４８は、矢印（Ｂ１、Ｂ２又はＢ３）とほぼ直交している。
【００４４】
図８は、延在方向に沿った細長突起４２の拡大断面図である。図８には、延在方向における細長突起４２の寸法が、符号Ｌｋで示されている。図９は、延在方向と直交する方向に沿った細長突起４２の拡大断面図である。この図９には、延在方向と直交する方向における細長突起４２の寸法が、符号Ｗｋで示されている。図８及び９の対比から明らかなように、寸法Ｌｋは寸法Ｗｋよりも十分に大きい。
【００４５】
本発明者の得た知見によれば、蹴足用靴では、インパクトの前後において最も大きな水平方向力が発生する。このときの水平方向力は、長さ線ＬＬよりも内側であってかつ土踏まず３８よりも爪先側において、主として発生する。換言すれば、力が主として発生する位置は、第二突起群３６の近傍である。この水平方向力の方向は、踵側に向かって内側に向かう方向である。換言すれば、水平方向力の方向は、細長突起４２の延在方向とほぼ一致する。細長突起４２は、延在方向の寸法Ｌｋが大きいので、延在方向において高剛性である。従って、水平方向力を受けても、細長突起４２は延在方向には座屈しにくい。一方、細長突起４２の寸法Ｗｋは十分に小さいので、細長突起４２の底面積は過大ではない。従ってこの細長突起４２は、ゴルファーの体重を受けて、地面に突き刺さる。この細長突起４２により、インパクトの前後における蹴足用靴のスリップが抑制される。
【００４６】
延在方向における剛性の観点から、寸法Ｌｋは８ｍｍ以上が好ましく、１０ｍｍ以上がより好ましく、１２ｍｍ以上が特に好ましい。寸法Ｌｋは４０ｍｍ以下が好ましい。地面に突き刺さりやすいとの観点から、寸法Ｗｋは１２ｍｍ以下が好ましく、１０ｍｍ以下がより好ましく、７ｍｍ以下が特に好ましい。寸法Ｗｋは、２ｍｍ以上が好ましい。延在方向にそって細長突起４２の幅が変化する場合は、最大幅が寸法Ｗｋとされる。
【００４７】
スリップ抑制の観点から、寸法Ｌｋの寸法Ｗｋに対する比（Ｌｋ／Ｗｋ）は２．５以上が好ましく、３．０以上が特に好ましい。パターン設計の容易の観点から、比（Ｌｋ／Ｗｋ）は、８．０以下が好ましい。
【００４８】
図８において符号Ｈｋで示されているのは、細長突起４２の高さである。スリップが抑制されるとの観点から、高さＨｋは４ｍｍ以上１０ｍｍ以下が好ましい。
【００４９】
図８から明らかなように、踵側端面４８が地面となす角度θｋは、９０°を超えている。従って、この踵側端面４８は、地面に突き刺さりやすい。この踵側端面４８により、インパクト前後における蹴足用靴のスリップが抑制される。スリップ抑制の観点から、角度θｋは１００°以上１６０°以下が好ましい。角度θｋは、１１０°以上がより好ましく、１２０°以上が特に好ましい。角度θｋは、１５０°以下が特に好ましい。
【００５０】
図７において、符号β１は長さ線ＬＬと矢印Ｂ１との角度を表し、符号β２は長さ線ＬＬと矢印Ｂ２との角度を表し、符号β３は長さ線ＬＬと矢印Ｂ３との角度を表す。インパクト前後におけるスリップ抑制の観点から、これらの角度β１、β２及びβ３は０°を超えて６０°以下が好ましい。これらの角度β１、β２及びβ３は、１５°以上が特に好ましい。これらの角度β１、β２及びβ３は、５５°以下が特に好ましい。
【００５１】
図７から明らかなように、３つの細長突起４２は放射状に配置されている。従って、角度β１は角度β２より大きく、そして角度β２は角度β３よりも大きい。本発明者の得た知見によれば、蹴足用靴のインパクトの前後における力の方向は、矢印Ｂ１の方向から矢印Ｂ２の方向に移行し、さらに矢印Ｂ３の方向に移行する。複数の細長突起４２が放射状に配置されることにより、インパクトの前後におけるスリップが十分に抑制される。
【００５２】
ゴルフシューズが、第一突起群１６を有する軸足用靴２と、第二突起群３６を有さない蹴足用靴とからなってもよい。このゴルフシューズでは、切り返し前後におけるスリップが抑制されうる。
【００５３】
ゴルフシューズが、第一突起群１６を有さない軸足用靴２と、第二突起群３６を有する蹴足用靴とからなってもよい。このゴルフシューズでは、インパクト前後におけるスリップが抑制されうる。
【００５４】
図１０には、本発明の他の実施形態に係るゴルフシューズの左足用靴のアウトソール５２が示されている。図示されていないが、この左足用靴は、図１に示された靴と同様に、アッパー、インソール及びミッドソールを備えている。この左足用靴が右利きゴルファーに着用された場合、軸足用靴として機能する。この左足用靴が左利きゴルファーに着用された場合、蹴足用靴として機能する。
【００５５】
図１０において、符号Ｘで示されているのは幅方向であり、符号Ｙで示されているのは長さ方向である。図１０において符号ＬＬで示されているのは、長さ線である。長さ線ＬＬは、底面視において、アウトソール５２の輪郭内に画かれうる最長の線である。
【００５６】
図１０において、左側が内側であり、右側が外側であり、上側が爪先側であり、下型が踵側である。このアウトソール５２は、ベース５２と２つの第一突起群５６と、２つの第二突起群５８とを備えている。それぞれの第一突起群５６は、長さ線ＬＬよりも内側であって、かつ土踏まず６０よりも爪先側に位置している。それぞれの第二突起群５８は、長さ線ＬＬよりも内側であって、かつ土踏まず６０よりも爪先側に位置している。
【００５７】
このアウトソール５２はさらに、突起群に属さない多数の突起６２を備えている。それぞれの突起６２は、ベース５４から突出している。この突起６２は、左足用靴の防滑性能に寄与する。防滑性能の観点から、突起の高さは２ｍｍ以上が好ましく、４ｍｍ以上が特に好ましい。突起の剛性の観点から、突起の高さは１５ｍｍ以下が好ましく、１０ｍｍ以下が特に好ましい。
【００５８】
第一突起群５６は、３つの細長突起６４からなる。具体的には、第一突起群５６は、第一細長突起６４ａ、第二細長突起６４ｂ及び第三細長突起６４ｃからなる。それぞれの細長突起６４は、爪先側に向かって内側に向かう方向に沿って延在している。第一突起群５６が、２つの細長突起６４からなってもよい。第一突起群５６が、４以上の細長突起６４からなってもよい。第一突起群５６における細長突起６４の数は、１０以下が好ましい。
【００５９】
第二突起群５８は、３つの細長突起６５からなる。具体的には、第二突起群５８は、第四細長突起６５ａ、第五細長突起６５ｂ及び第六細長突起６５ｃからなる。それぞれの細長突起６５は、踵側に向かって内側に向かう方向に沿って延在している。第二突起群５８が、２つの細長突起６５からなってもよい。第二突起群５８が、４以上の細長突起６５からなってもよい。第二突起群５８における細長突起６５の数は、１０以下が好ましい。
【００６０】
図１１には、右足用靴のアウトソール６６が示されている。図示されていないが、この右足用靴は、図１に示された靴と同様に、アッパー、インソール及びミッドソールを備えている。この右足用靴が右利きゴルファーに着用された場合、蹴足用靴として機能する。この右足用靴が左利きゴルファーに着用された場合、軸足用靴として機能する。
【００６１】
図１１において、符号Ｘで示されているのは幅方向であり、符号Ｙで示されているのは長さ方向である。図１１において符号ＬＬで示されているのは、長さ線である。長さ線ＬＬは、底面視において、アウトソール６６の輪郭内に画かれうる最長の線である。
【００６２】
図１１において、左側が外側であり、右側が内側であり、上側が爪先側であり、下型が踵側である。このアウトソール６６は、ベース６７と２つの第一突起群６８と、２つの第二突起群７０とを備えている。それぞれの第一突起群６８は、長さ線ＬＬよりも内側であって、かつ土踏まず７２よりも爪先側に位置している。それぞれの第二突起群７０は、長さ線ＬＬよりも内側であって、かつ土踏まず７２よりも爪先側に位置している。
【００６３】
このアウトソール６６はさらに、突起群に属さない多数の突起７４を備えている。それぞれの突起７４は、ベース６７から突出している。この突起７４は、右足用靴の防滑性能に寄与する。防滑性能の観点から、突起の高さは２ｍｍ以上が好ましく、４ｍｍ以上が特に好ましい。突起の剛性の観点から、突起の高さは１５ｍｍ以下が好ましく、１０ｍｍ以下が特に好ましい。
【００６４】
第一突起群６８は、３つの細長突起７６からなる。具体的には、第一突起群６８は、第一細長突起７６ａ、第二細長突起７６ｂ及び第三細長突起７６ｃからなる。それぞれの細長突起７６は、爪先側に向かって内側に向かう方向に沿って延在している。第一突起群６８が、２つの細長突起７６からなってもよい。第一突起群６８が、４以上の細長突起７６からなってもよい。第一突起群６８における細長突起７６の数は、１０以下が好ましい。
【００６５】
第二突起群７０は、３つの細長突起７７からなる。具体的には、第二突起群７０は、第四細長突起７７ａ、第五細長突起７７ｂ及び第六細長突起７７ｃからなる。それぞれの細長突起７７は、踵側に向かって内側に向かう方向に沿って延在している。第二突起群７０が、２つの細長突起７７からなってもよい。第二突起群７０が、４以上の細長突起７７からなってもよい。第二突起群７０における細長突起７７の数は、１０以下が好ましい。
【００６６】
図１０及び１１に示されたゴルフシューズが右利きゴルファーに着用された場合、左足用靴の第一突起群５６が、切り返し前後におけるスリップを抑制し、右足用靴の第二突起群７０がインパクトにおけるスリップを抑制する。このゴルフシューズが左利きゴルファーに着用された場合、右足用靴の第一突起群６８が、切り返し前後におけるスリップを抑制し、左足用靴の第二突起群５８がインパクトにおけるスリップを抑制する。このゴルフシューズは、右利きゴルファーに適しており、かつ左利きゴルファーにも適している。
【実施例】
【００６７】
以下、実施例によって本発明の効果が明らかにされるが、この実施例の記載に基づいて本発明が限定的に解釈されるべきではない。
【００６８】
［実施例１］
モールドにゴム組成物を投入し、加圧しかつ加熱して、突起群を有するアウトソールを製作した。このアウトソールに、アッパー、ミッドソール及びインソールをアッセンブリーして、図１から９に示されたゴルフシューズを得た。細長突起の仕様が、下記の表１に示されている。
【００６９】
［実施例２−４及び比較例１−２］
他のモールドを用いて、角度α１、α２、α３、β１、β２及びβ３を下記の表１及び２に示される通りとした他は実施例１と同様にして、実施例２−４及び比較例１−２のゴルフシューズを得た。
【００７０】
［実施例５−７］
他のモールドを用いて、細長突起の寸法を下記の表１及び２に示される通りとした他は実施例１と同様にして、実施例５−７のゴルフシューズを得た。
【００７１】
［実施例８−９及び比較例３］
他のモールドを用いて、左足用靴がノーマルタイプ（突起群を有さないタイプ）である実施例８のゴルフシューズを得た。他のモールドを用いて、右足用靴がノーマルタイプである実施例９のゴルフシューズを得た。他のモールドを用いて、左足用靴及び右足用靴がノーマルタイプである比較例３のゴルフシューズを得た。
【００７２】
［実施例１０］
モールドにゴム組成物を投入し、加圧しかつ加熱して、突起群を有するアウトソールを製作した。このアウトソールに、アッパー、ミッドソール及びインソールをアッセンブリーして、図１０及び１１に示されたゴルフシューズを得た。細長突起の仕様が、下記の表３に示されている。
【００７３】
［実施例１１−１３及び比較例４−５］
他のモールドを用いて、角度α１、α２、α３、β１、β２及びβ３を下記の表３及び４に示される通りとした他は実施例１０と同様にして、実施例１１−１３及び比較例４−５のゴルフシューズを得た。
【００７４】
［実施例１４−１６］
他のモールドを用いて、細長突起の寸法を下記の表３及び４に示される通りとした他は実施例１０と同様にして、実施例１４−１６のゴルフシューズを得た。
【００７５】
［評価］
ゴルフシューズを右利きのゴルファーに着用させ、ゴルフ場のティグラウンドで、ドライバーにてゴルフボールを打撃させた。１０名のゴルファーに、切り返し時及びインパクト時の防滑性能について、格付けさせた。この平均値が、下記の表１から４に示されている。この値が大きいほど好ましい。
【００７６】
【表１】
0005721398.tif 000002
【００７７】
【表２】
0005721398.tif 000003
【００７８】
【表３】
0005721398.tif 000004
【００７９】
【表４】
0005721398.tif 000005
【００８０】
表１から４に示されるように、実施例のゴルフシューズは防滑性能に優れている。この評価結果から、本発明の優位性は明らかである。
【産業上の利用可能性】
【００８１】
本発明に係るゴルフシューズは、ゴルフ場でのプレーのときに着用されうる。このゴルフシューズは、ドライビングレンジでのプラクティスのときにも着用されうる。
【符号の説明】
【００８２】
２・・・ゴルフシューズ
１２、３２、５２、６６・・・アウトソール
１４、３４、５４、６７・・・ベース
１６、５６、６８・・・第一突起群
１８、３８、６０、７２・・・土踏まず
２０、４０、６２、７４・・・突起
２２、４２、６４、６５、７６、７７・・・細長突起
２２ａ、６４ａ、７６ａ・・・第一細長突起
２２ｂ、６４ｂ、７６ｂ・・・第二細長突起
２２ｃ、６４ｃ、７６ｃ・・・第三細長突起
２４、４４・・・底面
２６、４６・・・爪先側端面
２８、４８・・・踵側端面
３０、５０・・・側面
３６、５８、７０・・・第二突起群
４２ａ、６５ａ、７７ａ・・・第四細長突起
４２ｂ、６５ｂ、７７ｂ・・・第五細長突起
４２ｃ、６５ｃ、７７ｃ・・・第六細長突起
【図１】
0005721398.tif 000006
【図２】
0005721398.tif 000007
【図３】
0005721398.tif 000008
【図４】
0005721398.tif 000009
【図５】
0005721398.tif 000010
【図６】
0005721398.tif 000011
【図７】
0005721398.tif 000012
【図８】
0005721398.tif 000013
【図９】
0005721398.tif 000014
【図１０】
0005721398.tif 000015
【図１１】
0005721398.tif 000016